(57)【要約】【課題】室内から見ると非常に見栄えが悪いなどの問題と断熱作用にかけるとか、内部結露を防止することができない、施工上複雑であるなどの問題を解決することが求められている。【解決手段】上記課題を解決するため、金属板を山部、谷部が連続する波型に曲折した、あるいは交互に山部と平坦状谷部を有し、かつこれらの山部の両側面に内側に向かって突出する係合部を有する屋根板と、金属板の両端部を同一方向に折り曲げ、かつこの折り曲げられた部分に屋根板の山部の側面に形成された係合部と係合する係合部が設けられた天井板とで構成されたことを特徴とする折板屋根構造とすることにより解決した。必要に応じて天井板の折り曲げ部分に切り欠き部を設けてもよく、さらに２つの天井板を連結する連結部材により連結することができる。【選択図】      図２
2005016107.tif 000002
【特許請求の範囲】
【請求項１】
金属板を山部、谷部が連続する波型に曲折した、あるいは交互に山部と平坦状谷部を有し、かつこれらの山部の両側面に内側に向かって突出する係合部あるいはほぼＺ字状の係合部を有する折板屋根板と、金属板の両端部を同一方向に折り曲げ、かつこの折り曲げられた部分に屋根板の山部の側面に形成された係合部と係合する係合部が設けられた天井板とで構成されたことを特徴とする折板屋根構造。
【請求項２】
請求項１の折板屋根構造において、天井板が折板屋根板に設けられた１つの山部に係合するようになっていることを特徴とする上記折板屋根構造。
【請求項３】
請求項１の折板屋根構造において、天井板が折板屋根板に設けられた２つ以上の山部に対応して係合する構造になっていることを特徴とする上記折板屋根構造。
【請求項４】
金属板を山部、谷部が連続する波型に曲折した、あるいは交互に山部と平坦状谷部を有し、かつこれらの山部の両側面に、内側に向かって突出する係合部あるいはほぼＺ字状の係合部を有する折板屋根板に係合するために用いられる天井板において、
前記天井板が金属板の両端部を同一方向に折り曲げ、かつこの折り曲げられた部分に屋根板の山部の側面に形成された係合部と係合する係合部が設けられていることを特徴とする上記天井板。
【請求項５】
請求項４の天井板において、さらに折り曲げられた部分に金属板の前記両端部あるいはこのいずれか一方の端部から天井板の金属板中心部に向かって任意の間隔で切り欠き部が設けられていることを特徴とする上記天井板。
【請求項６】
前記天井板において、天井板の長手方向の両端部あるいはこのいずれか一方の端部から延在する天井板連結部が設けられていることを特徴とする請求項４あるいは請求項５に記載の天井板。
【請求項７】
金属板を山部、谷部が連続する波型に曲折した、あるいは交互に山部と平坦状谷部を有し、かつこれらの山部の両側面に内側に向かって突出する係合部あるいはほぼＺ字状の係合部を有する折板屋根板に係合して用いられる天井板の連結用の連結部材において、前記連結部材は、金属板の両側端部を同一方向に折り曲げて形成された折り曲げ部を有し、かつ天井板の内側に摺動自在に係合できるものであることを特徴とする、上記連結部材。
【発明の詳細な説明】
【０００１】
【発明の属する技術分野】
本願発明は、断熱作用などを有する折板屋根に関する。
【０００２】
【従来の技術】
折板屋根に断熱作用などを付与する試みは各種のものがなされている。たとえば従来以下のようなものがある。
【０００３】
互いに平行に架設された複数本の梁の上に、各々、その長手方向に沿って屋根受け金具（タイトフレーム）を取り付け、これら屋根受け金具相互間に、水平な鍔部と垂直なウエブとで断面逆Ｔ字状を成す条材を複数本平行架設し、つぎに、これら条材相互において対向する各鍔部上に各々一枚の断熱板を載せ、この断熱板の上方に同じ平面大きさを有した屋根板がピッタリと重なるように位置合わせしつつ、この屋根板を上記屋根受け金具上に載設し、そして、この屋根板の連結用側縁部における長手方向の適所に、帯板を折曲して形成したフック金具の上端部を係合させ、その下端部を上記条材のウエブ適所に引っ掛けることで、条材及び断熱板の吊り下げを補強し、さらに、上記断熱板に隣接するように次の断熱板を載せ、またその上に屋根板を載せて、この屋根板を既に載設状態にある前記の屋根板と連結用側縁部同士で連結（例えばハゼ折り連結）させ、このとき、連結用側縁部同士の当接間に上記フック金具が一緒に挟み込まれるようにしてその脱落を防止し、以下、これらの作業を繰り返すというものである（たとえば特許文献１参照。）。
【０００４】
また、高い断熱性が要求される体育館や工場、倉庫等の中・大型建築物には、上葺材と下葺材との間に断熱材としてグラスウールを充填した断熱二重折板屋根とする（たとえば、特許文献２参照。）。
【０００５】
さらに、断熱ボード（発泡プラスチック成形品）を使用して二重折板屋根を構成する（たとえば、特許文献３参照。）。
【０００６】
さらにまた、山折り部と谷折り部とでジグザグ状となる屋根板を用いて構築する断熱屋根構造において、平行する少なくとも２本の梁（１）  に設けられる屋根支承部材（２）  と、前記各梁（１）  間に架設される断熱板（３）  と、前記屋根支承部材（２）  に載せられると共に前記梁（１）  に沿った長さが前記断熱板（３）  と同じで且つ両端側の連結用側縁部が山折り部で構成された屋根板（５）  と、前記各屋根板（５）  相互が連結される部分の下面部に吊り下げられ且つ下端部で前記断熱板（３）  を保持する吊り金具（６）  とから成り、前記断熱板（３）  にはその上面を前記梁（１）  と直交する方向に通り抜ける逆Ｔ字状の溝（１５）が形成されており、該溝（１５）に前記吊り金具（６）  の下端部が係合するようにした断熱屋根構造とするとか、  山折り部と谷折り部とでジグザグ状となる屋根板を用いて構築する断熱屋根構造において、平行する少なくとも２本の梁（１）  に対して、それらの互いに対向する側縁部上面に断熱板係合スペースが残るような配置で梁上面の長手方向に沿って設けられる嵩上げ台部（１１）及び屋根受け部（１０）を有した屋根支承部材（２）  と、前記各梁（１）  上の断熱板係合スペース相互に両端縁部を載せるかたちで上記嵩上げ台部（１１）相互間に架設される断熱板（３）  と、前記梁（１）  に沿って並べられる断熱板（３）  相互を繋ぎ止める繋ぎ条材（４）  と、流れ方向が梁（１）  に直交するように上記屋根支承部材（２）  に載せられ、前記梁（１）  に沿った長さが上記断熱板（３）  と同じで且つ両端側の連結用側縁部が山折り部で構成された屋根板（５）  と、各屋根板（５）  相互が連結される部分の下面部に吊り下げられ、下端部で上記断熱板（３）  を保持する吊り金具（６）  とから成り、前記断熱板（３）  にはその上面を梁（１）  と直交する方向に通り抜ける逆Ｔ字状の溝（１５）が形成されており、前記繋ぎ条材（４）  の両端部及び吊り金具（６）  の下端部が上記断熱板（３）  の溝（１５）に係合した断熱屋根構造とする（たとえば、特許文献４参照。）
【０００７】
くわえて、外側折板屋根と内側折板屋根の間に断熱材を介在させた二重折板屋根構造であって、前記外側折板屋根は、面板部の左右側縁を外側上方へ立ち上げた側部を有する外側折板屋根板からなり、施工状態において左右方向に谷部と山部とが連続する構造であり、前記断熱材は、非透水性の素材、又は少なくとも上面側を非透水処理した素材からなり、外側折板屋根と内側折板屋根との間の空間に近似する形状に成形すると共に、谷部上面側に軒棟方向に連通する排水空隙を形成した二重折板屋根構造とするとか、この場合にさらに外側折板屋根板は、軒棟方向に重合して接続する定尺材とし、断熱材は、軒棟方向に重合又は突き合わせて接続すると定尺材とし、断熱材の継ぎ目を防水処理すると共に外側折板屋根板の重合部と断熱材の継ぎ目とを軒棟方向に離反させて配設した二重折板屋根構造とする（たとえば、特許文献５参照。）。
【０００８】
【特許文献１】
特開平３−８９６２号公報（特許文献１）
【特許文献２】
特公平６−８４６５９号公報（特許文献２）
【特許文献３】
実公平７−４０５７１号公報（特許文献３）
【特許文献４】
特開平７−３４６０３号公報（特許文献４）
【特許文献５】
特許第３０４７３１８号（特開平９−２９６５７０）号公報
【０００９】
【発明が解決しようとする課題】
しかしながら、これらの従来の構造のものは、落ち着き感のない、見栄えの悪いものとなっており、また、断熱板相互の連結部分と屋根板相互の連結部分とは、上下方向に一致するようになっているため、構築作業中にフック金具等を誤って手から滑らせると、これが床面等まで落下してしまい、いちいち拾い上げるのが面倒になると共に、下にいる作業者にとって非常に危険であるとか、
断熱材としてグラスウールを充填した断熱二重折板屋根には当然高い断熱性が期待されるが、上葺材（外側折板屋根板）に不測の漏水を生じたり、内部結露が生じると、グラスウールが水潤するために、このグラスウール等の繊維系断熱材は水潤により著しく断熱性能が低下するという特性を有し、かつ高い保水性を有するので、一旦不測の漏水や内部結露が生ずると水潤、保水域が拡大して経時と共に断熱性能の低下が促進されるとともに、通常、二重折板屋根に用いられるグラスウールは、断熱性能上の欠損箇所を生じさせないように低密度で、輸送時にはロール状の柔軟性に富んだものが用いられるが、屋根上の作業として所謂”コシのない”グラスウールを隙間なく敷設することは極めて困難であり、さらに断熱ボードを使用する二重折板屋根では、断面形状に合致するよう形成された断熱ボードを上葺折板や下葺折板と隙間なく敷設（重合）させるので、不測の漏水や内部結露が生じた場合は、水分は上葺折板又は下葺折板と隙間に保持され、毛細管現象により軒側に流下しづらく、むしろ広域に拡散して下葺折板からの漏水を引き起こす危険性があったり、さらに、毛細管現象による保水は容易に解消されないので、直ちに漏水事故に至らないまでも高湿度状態が長期間維持され、上葺折板の裏面及び下葺折板の表面の腐食を促進させるなどの問題点があったりするために、断熱構造としてはいまいちであった。
そこで、簡単な構造で、内部結露を防止することができ、施工も容易であるなどの断熱構造のものが求められていた。
【００１０】
【課題を解決するための手段】
上述の従来の問題点を解決するために本願発明は、金属板を山部、谷部が連続する波型に曲折した、あるいは交互に山部と平坦状谷部を有し、かつこれらの山部の両側面に、内側に向かって突出する係合部あるいはほぼＺ字状の係合部を有する折板屋根板と、金属板の両端部を同一方向に折り曲げ、かつこの折り曲げられた部分に屋根板の山部の側面に形成された係合部と係合する係合部が設けられた天井板とで構成されたことを特徴とする折板屋根構造とすることにより上述の欠点を改善することに成功したものである。
【００１１】
すなわち、本願発明は、金属板を山部、谷部が連続する波型に曲折した、あるいは交互に山部と平坦状谷部を有し、かつこれらの山部の両側面に、内側に向かって突出する係合部あるいはほぼＺ字状の係合部を有する折板屋根板と、金属板の両端部を同一方向に折り曲げ、かつこの折り曲げられた部分に屋根板の山部の側面に形成された係合部と係合する係合部が設けられた天井板とで構成されたことを特徴とする折板屋根構造に関するものである。さらに、本願発明は、この天井板を連結する連結部材に関するものである。
【００１２】
より詳しくは、
（１）金属板を山部、谷部が連続する波型に曲折した、あるいは交互に山部と平坦状谷部を有し、かつこれらの山部の両側面に内側に向かって突出する係合部あるいはほぼＺ字状の係合部を有する折板屋根板と、金属板の両端部を同一方向に折り曲げ、かつこの折り曲げられた部分に屋根板の山部の側面に形成された係合部と係合する係合部が設けられた天井板とで構成されたことを特徴とする折板屋根構造、
（２）上記（１）の折板屋根構造において、天井板が折板屋根板に設けられた１つの山部に係合するようになっていることを特徴とする上記折板屋根構造、
（３）上記（１）の折板屋根構造において、天井板が折板屋根板に設けられた２つ以上の山部に対応して係合する構造になっていることを特徴とする上記折板屋根構造、
（４）金属板を山部、谷部が連続する波型に曲折した、あるいは交互に山部と平坦状谷部を有し、かつこれらの山部の両側面に、内側に向かって突出する係合部あるいはほぼＺ字状の係合部を有する折板屋根板に係合するために用いられる天井板において、
前記天井板が金属板の両端部を同一方向に折り曲げ、かつこの折り曲げられた部分に屋根板の山部の側面に形成された係合部と係合する係合部が設けられていることを特徴とする上記天井板、
（５）上記（４）の天井板において、さらに折り曲げられた部分に金属板の前記両端部あるいはこのいずれか一方の端部から天井板の金属板中心部に向かって任意の間隔で切り欠き部が設けられていることを特徴とする上記天井板、
（６）前記天井板において、天井板の長手方向の両端部あるいはこのいずれか一方の端部から延在する天井板連結部が設けられていることを特徴とする上記の（４）あるいは（５）に記載の天井板、
（７）  金属板を山部、谷部が連続する波型に曲折した、あるいは交互に山部と平坦状谷部を有し、かつこれらの山部の両側面に内側に向かって突出する係合部あるいはほぼＺ字状の係合部を有する折板屋根板に係合して用いられる天井板の連結用の連結部材において、前記連結部材は、金属板の両側端部を同一方向に折り曲げて形成された折り曲げ部を有し、かつ天井板の内側に摺動自在に係合できるものであることを特徴とする、上記連結部材、
に関するものである。
【００１３】
折板屋根は山部と谷部との大きさを調節するなどしていろいろな屋根として使用されている。工場、倉庫、体育館をはじめ、住宅、ドームとか展示館などいろいろなところに適用されている。しかしながら、工場、倉庫、ドームなどにおいては、そのままむき出しにして使用することが多く、内部から見ると折屋根の形状がそのまま見えてしまい非常に見栄えが悪いし、断熱に欠けるとか、雨音などが屋根を通してじかに内部に伝わってしまうなどの問題があり、このために二重の折屋根の間に断熱材を入れ込むとかその他の方法がとられている。本願発明においては、この折屋根の山部に内部から内側に向かって突出する係合部を設け、しかも、金属板の両端部あるいは両側部を同一方向に折り曲げ、この折り曲げられた部分に屋根板の山部の側面に形成された係合部と係合する係合部が設けた天井板を折り板の山部の係合部に係合させることによって、折板の山部に天井板をはめ込み、断熱効果や遮音効果や内部からの見栄えをよくしようとするものである。
【００１４】
本願発明での折屋根板自体は、金属板を山部、谷部が連続する波型に曲折したもの、あるいは交互に山部と平坦状谷部を有したものであるが、山部と谷部が連続する波型に曲折したものであっても、通常は、山部は三角形の頂点のようにとがっているものではなく通常は、タイトフレームに固定するため図１に示すような山部の頂上は平坦部を形成していることが多い。同様に谷部も、図１に見るように平坦部を形成している。このような構造のものも本願発明でいう折板屋根板に包含される。
【００１５】
天井板は、折板屋根板の山部に設けた係合部と係合させるものであるが、１つの山部に天井板を１つ対応させて係合させてもいいし、２つ以上の山部と対応させて係合させてもよい。この場合、天井板の折り曲げられた部分を、２つ以上の山部と対応するように折り曲げられた部分の間隔を広げることによって容易に製造することができる。ただ、間隔を広げすぎると、すなわち、天井板を折板屋根板の山部のたとえば５つとか６つと対応させると、天井板のもつ可撓性のためにたるみが生じたり、折り曲げ部分の弾性力が天井板全体として小さくなるなど折り曲げられた部分に設けられた係合部と山部に設けられた係合部との係合が甘くなる傾向があるので、係合する際の係合する力が弱くならないように天井板にリブなどのかたるまないような補強構造を採用することが望ましい。
【００１６】
折板屋根板の山部の側面に設けられる係合部の形状としては、山部の両側面の内側に向かって突出する係合部あるいはほぼＺ字状の係合部がある。ほぼＺ字状の係合部は、山部の両側面の内側に向かって突出する係合部の一形態であるが、明確にさせるためにわざわざ別に取り上げてある。ほぼＺ字状の形状としては、図７で示すようなＺ字状のものから、図８に示すような外観クランク形状のものも含まれる。
一方、天井板の折り曲げ部に設けられる係合部の形状は、なるべく山部に設けられた係合部の内側に内接するようにした形状のものが好ましいが、これに限られず係合できるものであればどのような形状のものであっても差し支えない。たとえば、図２に示す折板屋根板の山部に設けられた係合部２、２’の形状のものと、図７や図８に示す天井板に設けられた係合部４２、４２’や係合部５７の形状のものとを組み合わせることがあげられる。
【００１７】
本願発明について図面を参照しながら説明するが、本願発明がこの説明だけに限定されるものではない。
【００１８】
図９は、従来の折板屋根の一部切り欠き斜視図を示すものである。折板屋根板２０は建物の梁２４に設けられた屋根受部２３上にタイトフレーム２１を固定し、このタイトフレーム２１に折板屋根板２０を固定具２２により固定している。この図にみるように従来の折板屋根板は、山部と谷部とがむき出しとなっているため室内から見ると非常に見栄えが悪いなどの問題と断熱作用がないなどのことから従来技術に挙げたような断熱構造が提案されている。しかしながら、内部結露の問題とか施工上の問題があるなどまだ改善するべき点が多数存在している。
【００１９】
図１ないし図３は、本願発明の折板屋根板と天井板とを係合した構造の一部などを示すものである。図１は、折板屋根板と天井板とを係合させた全体的な構造を示す部分斜視図である。図２は、折板屋根板と天井板を係合させたものと係合させる場合の係合のさせ方を示す断面図を示す。図３は、天井板の斜視図を示すものである。
天井板は、図３に示すように天井板の本体の両側端部を同一方向に折り曲げ、その折り曲げ部１３、１４にそれぞれ係合部１２、１２’となる外側に向けた凹形状を形成する。折り曲げ部１３、１４は天井板１１の基部に対して直角ではなく、折板屋根板の山部の内側に入り込ませるため内側に傾斜したものとなっている。このため折板屋根板にはめ込む際にはばねのような働きをし、折板屋根板と天井板を係合させたときに、容易に抜けないようになる。
折板屋根板は図２にみるように、山部３と谷部４が交互に連続する波型に曲折した構造となっており、その山部の２つの側面５、６に内側に向かって突出する係合部２、２’が形成されている。折板屋根板と天井板を係合するには図２の真ん中のように天井板を下方より上方に、折板屋根板の係合部２と天井板の折り曲げられた端部１３に形成された係合部１２とが係合するように、また折板屋根板の係合部２’と天井板の折り曲げ部１４に形成された係合部１２’とが係合するようにはめ込まれて、図２の一番左端に示す係合状態となって両者が係合される。
天井板には、必要に応じて２つの天井板を繋ぎ合わせやすいようにその両端部、あるいは一方の端部に連結部を設けてもよい。連結部は天井板の断面と同じ形状で、しかも他方の天井板の端部と係合するように天井板の厚みに応じてその分だけ断面形状を小さく形成するか、あるいは大きく形成することができる。このような形状とすることにより２つの天井板が係合しやすくなり、また見た目も優れたものとなる。
【００２０】
結局図１に示すような係合状態となって、天井全体が天井板により見栄えがよくなるとともに、折板屋根板と天井板の間に空間が形成されて断熱作用が奏される。と同時に遮音効果なども出てくるし、取り外しが簡単で、保守点検なども容易となる。
【００２１】
以上では、天井板が折板屋根板に設けられた１つの山部に係合するようになっている折板屋根構造を例にとって本願発明を説明したが、天井板が折板屋根板に設けられた２つ以上の山部に対応して係合する構造になっている折板屋根の構造においても同様である。すなわち、天井板の幅を広くすることによって、折板屋根板に設けられた２つ以上の山部に対応させたものとすればよい。
【００２２】
つぎに図４に示す天井板について説明する。天井板の構造は、図３に示すもののほか折り曲げられた部分が金属板の端部から金属板中心部に向かって任意の間隔で切り欠き部が設けられていてもよい。図４に示すものは、天井板３１の折り曲げられた部分（折り曲げ部３３，３４）に切り欠き部が設けられたもので、この場合、折り曲げ部分の端部から係合部３２、３２’の付近まで切り欠き部３５，３５’が設けられている。この切り欠き部３５，３５’は係合部を超えて設けられたものでもよい。この切り欠き部の幅は、任意の幅でよく、このようにすることにより、製造コストが低減できるほか、軽量化することができるとか、折板屋根板へのはめ込み（係合）がやりやすいなどの利点がある。
【００２３】
つぎに、図５は、２つの天井板を連結する連結部材１６を示す。この連結部材１６は、金属板の両側端部を同一方向に折り曲げて形成された折り曲げ部１７、１７’を有する。この連結部材は、図５に示すように天井板の内側に、摺動自在に、あるいはスライド自在に係合されるものである。この折り曲げ部の長さあるいは高さは、天井板の内側に係合されるものであるから天井板の係合部までの任意の長さがよい。係合部を超えるものは係合部の形状に合わせた形状に折り曲げ部を加工するのがよい。連結部材を使用することにより、天井板の長さが不足した場合に容易に２つの天井板の間を無理なく連結することができるし、この結合部材を天井板の模様などと一致させておけば、この結合部材が天井板の一部ともなりうるものである。
【００２４】
つぎに、図６に示す天井板の別の例について説明する。この天井板４１は、天井板の本体の両側端部を同一方向に折り曲げ、折り曲げ部４３、４４を形成する。この折り曲げ部は折り曲げられた部分から側端部方向に向けて互いにさらに離隔するように、すなわち、断面形状が上方に向かって広がって折り曲げられた形状となっている。そして、その先端部にそれぞれＬ字状の係合部４２、４２’がさらに形成されて、屋根板の山部に設けられた係合部と係合できるようになっている。さらにこの天井板の場合には長手方向の両端部に天井板基部と折り曲げ部が長手方向に延在した連結部４５、４５’が形成されている。この連結部は、両端部のうちのいずれか一端部のみに設けてもよい。天井板を連結する場合にはこの連結部を重合して行うと天井板の切れ目がなく、見栄えがよいものとなる。
【００２５】
図７は、本願発明の別の例の折板屋根板と別の例の天井板の係合の断面図を示すもので、たとえば、図６に示すような天井板を使用して折板屋根板と係合した場合を示すものである。この場合、折板屋根板の山部５０の裾の側面５２、５２’にＺ字状の係合部５１、５１’が設けられ、この係合部５１、５１’に天井板の係合部４２、４２’が係合するため、天井板が山部５０にしっかりと保持される。天井板４１を山部５０に係合する際には折り曲げ部４３，４４の先端を相互に近づけるようにしてすぼめると容易に係合することができ、取り外す際にも同様に作業をすればよい。
【００２６】
図８は、本願発明のさらに別の例の折板屋根板と別の例の天井板の係合の部分断面図を示すもので、６０は折板屋根板の山部、６１は山部の側面、６２は側面に設けられた変形Ｚ字状の係合部、５５は天井板、５６は天井板に設けられた折り曲げ部、５７は折り曲げ部５６の端部に設けられた係合部をそれぞれ示す。この例においては、図７の天井板と同じように、天井板５５の本体の両側端部を同一方向に折り曲げ、折り曲げ部５６を形成する。この折り曲げ部５６の先端部を「く」字状にさらに折り曲げたく字状の係合部５７が形成されている。この形状の係合部５７を折板屋根板の山部の側面に設けられた係合部６２と係合させることによって天井板を折板屋根板に係止させることができる。
【００２７】
折板屋根板と天井板のそれぞれに設けられる係合部も折板屋根を形成する際に同時に形成することができるという利点を有する。さらに係合部の形状も製造の容易さなどを勘案して任意の形状のものとすることができる。
【図面の簡単な説明】
【図１】図１は、本願発明の屋根板と天井板とで構成された折板屋根構造の部分斜視図を示す。
【図２】図２は、本願発明の折板屋根板と天井板の係合の断面図を示す。
【図３】図３は、本願発明の天井板の一例を示す斜視図を示す。
【図４】図４は、本願発明の天井板の他の例を示す斜視図を示す。
【図５】図５は、本願発明の天井板を連結する連結部材を示す斜視図を示す。
【図６】図６は、本願発明の天井板の別の例を示す斜視図を示す。
【図７】図７は、本願発明の別の例の折板屋根板と別の例の天井板の係合の断面図を示す。
【図８】図８は、本願発明のさらに別の例の折板屋根板と別の例の天井板の係合の部分断面図を示す。
【図９】図９は、従来の折板屋根の構造の一部切り欠き斜視図を示す
【符号の説明】
１、２０：折屋根板
２、２’、１２、１２’、３２、３２’、４２，４２’、５１、５１’、５７、６２：係合部
３、５０、６０：山部
４：谷部
５、６、５２、５２’、６１：側面
１１、３１、４１、５５：天井板
１３、１４、１７、１７’、３３、３４、４３、４４、５６：折り曲げ部
３５、３５’：切り欠き部
１６：連結部材
２１：タイトフレーム
２２：固定具
２３：屋根受部
２４：梁
４５，４５’：連結部
【図１】
2005016107.tif 000003
【図２】
2005016107.tif 000004
【図３】
2005016107.tif 000005
【図４】
2005016107.tif 000006
【図５】
2005016107.tif 000007
【図６】
2005016107.tif 000008
【図７】
2005016107.tif 000009
【図８】
2005016107.tif 000010
【図９】
2005016107.tif 000011